(57)【要約】【課題】  系統連係インバータの単独運転検出機能を確認する試験回路においては、エネルギー源としての外部電源が必要なために、試験回路を簡便にし難く、しかも外部電源を借用する費用のために、安価に試験を行うことが難しかった。【解決手段】  系統連係インバータの単独運転検出機能確認装置において、系統電源を入力する第1のスイッチと、該第1のスイッチの出力端に並列に接続される第2のスイッチおよび昇圧トランスと、該第2のスイッチの出力端に接続される誘導電動機と、前記昇圧トランスの2次側に接続される整流器と、前記系統連係インバータへ直流電圧指令を出力する手段により構成する。【選択図】      図１
2005094966.tif 000002
【特許請求の範囲】
【請求項１】
系統連係インバータの単独運転検出機能確認装置において、系統電源を入力する第1のスイッチと、該第1のスイッチの出力端に並列に接続される第2のスイッチおよび昇圧トランスと、該第2のスイッチの出力端に接続される誘導電動機と、前記昇圧トランスの2次側に接続される整流器と、前記系統連係インバータへ直流電圧指令を出力する手段により構成することを特徴とする系統連係インバータの単独運転検出機能確認装置。
【発明の詳細な説明】
【技術分野】
【０００１】
本発明は、系統に連係される系統連係インバータの単独運転検出機能が、正常に働くかを確認するための試験装置に係り、特に、持ち運びに便利であり、操作の容易な系統連係インバータの単独運転検出機能確認装置に関するものである。
【背景技術】
【０００２】
本出願人は先に、について特開２００３−２０９９３１号の「系統連係インバータの単独運転検出装置及びその制御方法」にて提案している（特許文献１）。
そして従来は、系統連係インバータの単独運転検出機能を確認するために、下記に記述するような方法で行っていた。
【０００３】
従来の系統連係インバータの単独運転検出機能を確認するための装置を、図２の従来の系統連係インバータの単独運転検出機能を確認するための試験接続図を参照して詳述する。
図２において、１は系統電源、２は系統スイッチ、３は誘導電動機、４は外部直流電源、１０は系統連係インバータ、１１は直流コンデンサー、１２はＰＷＭ変換器、１３はフイルター、１４は連係スイッチである。
系統連係インバータ１０は、外部直流電源４よりエネルギーを入力し、直流コンデンサー１１およびＰＷＭ変換器１２により直流を交流に変換して、フイルター１３、連係スイッチ１４を経て系統スイッチ２の出力側に接続される。
系統スイッチ２の入力側は系統電源１に接続される。系統スイッチ２の出力側には、連係スイッチ１４と並列に誘導電動機３が接続される。
【０００４】
このように接続される系統連係インバータ１０は、直流出力を発生する外部電源装置４よりエネルギーを得て、交流を系統に出力する。
系統連係インバータ１０の単独運転検出機能を確認する時に、条件の一番厳しい状態は、残留磁気により継続運転がし易い誘導電動機３の消費電力が系統連係インバータ１０から供給されているとき、すなわち系統スイッチ２から流れ出る図２に示す電流Ｉｓが零のときであり、この状態では系統スイッチ２の遮断により系統連係インバータ１０の出力電圧・電流が変化し難いためである。
従って、単独運転検出機能を確認するときは、外部電源装置４の出力を調整して、系統スイッチ２から流れ出る図２に示す電流Ｉｓを零にし、系統スイッチ２を遮断したときに系統連係インバータが単独運転検出機能により連係スイッチ１４を遮断するかの確認を行う。
【特許文献１】特開２００３−２０９９３１号（図１）
【発明の開示】
【発明が解決しようとする課題】
【０００５】
このように構成される系統連係インバータの単独運転検出機能を確認する試験回路においては、エネルギー源としての外部電源装置４が必要なために、試験回路を簡便にし難く、しかも外部電源装置４を借用する費用等が発生するので、安価に構成することが難しかった。
また僻地に設置される風力発電設備に接続される系統連係インバータの場合には、外部電源装置４を風力発電設備に頼っても、風のエネルギーが気まぐれであるために、図２に示す電流Ｉｓを零とする状態を実現することが困難であるという問題があった。
【課題を解決するための手段】
【０００６】
従って、本発明は、図２に示す電流Ｉｓを零とする状態を簡便に実現して、前述の課題を解決するために、系統電源１よりエネルギーを入力し、系統連係インバータ１０の直流電圧を可変することにより、その目的を達成することを主な特徴とする。
【発明の効果】
【０００７】
本発明の系統連係インバータの単独運転検出機能確認装置においては、別の直流電源装置を用いることなく、系統連係インバータの単独運転検出機能の確認を簡便に行うことができる。
又、この系統連係インバータの単独運転検出機能確認装置の各構成部品は、容量の小さな部品で構成できるので、持ち運べることが可能であり、実用上おおいに有用である。
【発明を実施するための最良の形態】
【０００８】
本発明の系統連係インバータの単独運転検出機能確認装置は、系統電源を入力する第１のスイッチと、該第1のスイッチの出力端に並列に接続される第２のスイッチおよび昇圧トランスと、該第２のスイッチの出力端に接続される誘導電動機と、前記昇圧トランスの２次側に接続される整流器と、前記系統連係インバータへ直流電圧指令を出力する手段により構成することを最良の形態とするものである。
【実施例１】
【０００９】
図1は、本発明の１実施例であり、系統連係インバータの単独運転検出機能確認装置を接続した系統連係インバータの確認試験回路図である。
同図において、２０は系統連係インバータの単独運転検出機能確認装置、２１は第１のスイッチ、２２は第２のスイッチ、２３は昇圧トランス、２４は整流器、２５は直流電圧指令発生器であり、構成部品２１〜２５により系統連係インバータの単独運転検出機能確認装置２０を構成し、図２と同一番号は同一構成部品を表す。
以下、図１について説明する。
【００１０】
系統連係インバータの単独運転検出機能確認装置２０の第１のスイッチ２１は、系統電源１に接続されて交流電源を入力する。第１のスイッチ２１の出力は、第２のスイッチ２２および昇圧トランス２３に並列に接続される。昇圧トランス２３の２次側は、整流器２４に接続され、その直流出力は系統連係インバータ１０の直流部に接続される。第２のスイッチ２２の出力は、誘導電動機３および系統連係インバータ１０の連係スイッチ１４に並列に接続される。直流電圧指令発生器２５は、直流電圧指令Ｖｄｃ*を系統連係インバータ１０のＰＷＭ変換器１２に出力する。
【００１１】
次ぎにその作用について説明する。
第１のスイッチ２１より入力した電力は、昇圧トランス２３により昇圧されて整流器２４により系統連係インバータ１０の直流部に供給される。系統連係インバータ１０のＰＷＭ変換器１２は、直流電力を交流電力に変えて、連係スイッチ１４を経て誘導電動機３、および第２のスイッチ２２を経て系統電源１に還流させる。
ここで昇圧トランス２３が系統電源１の電圧を昇圧している理由は、系統連係インバータ１０の直流電圧Ｖｄｃを高めにして、系統連係インバータ１０の出力を正弦波状にし易くするためである。
【００１２】
このような状態で、直流電圧指令発生器２５の直流電圧指令Ｖｄｃ*を可変することにより、誘導電動機３および系統電源１に還流させる電力を可変できるので、図１に示す電流Ｉｓを零にすることができる。
ここで直流電圧指令Ｖｄｃ*を可変する理由は、系統電源１の電圧には許容範囲が存在するためであり、系統電源１の電圧が高ければ高く、系統電源１の電圧が低ければ低く設定することにより、図１に示す電流Ｉｓを零にすることができる。
さらに、図１に示す電流Ｉｓを零にする操作の初期段階で、直流電圧指令Ｖｄｃ*を高めに設定しておいてから可変するようにすれば、大きな電流を流さないようにできるので、系統連係インバータの単独運転検出機能確認装置の各構成部品を小さい容量で構成することができる。
【００１３】
従って、図１に示す電流Ｉｓを零にした状態で、第２のスイッチ２２を開放することは、図２における系統スイッチ２を遮断することと同じであり、系統連係インバータ１０の単独運転検出機能の確認を行うことができる。
【産業上の利用可能性】
【００１４】
以上、本発明の実施例では、誘導電動機３を負荷とする場合で説明したが、より簡便には抵抗負荷を用いても良い。
【図面の簡単な説明】
【００１５】
【図１】本発明の、系統連係インバータの単独運転検出機能確認装置を説明するための接続図である。（実施例１）
【図２】従来の系統連係インバータの単独運転検出機能を確認するための試験接続図である。
【符号の説明】
【００１６】
１            系統電源
２            系統スイッチ
３            誘導電動機
４            直流電源装置
１０          系統連係インバータ
１１          直流コンデンサー
１２          ＰＷＭ変換器
１３          フイルター
１４          連係スイッチ
２０          系統連係インバータの単独運転検出機能確認装置
２１          第１のスイッチ
２２          第２のスイッチ
２３          昇圧トランス
２４          整流器
２５          直流電圧指令発生器
【図１】
2005094966.tif 000003
【図２】
2005094966.tif 000004